(57)【要約】【課題】床衝撃音遮断特性を向上しつつ、床仕上材の浮き上がり等を防止することが可能な遮音性床構造を提供する。【解決手段】本発明に係る遮音性床構造は、基礎面２上に配設される複数の床支持ユニット３と、複数の床支持ユニット３により基礎面２に対して所定の高さレベルに支持される床下地材４と、床下地材４上に敷設される床仕上材６とを備え、床下地材４と床仕上材６との間に、比重が０．９〜１．４の石膏ボード５を敷設した。【選択図】図１
2008266942.tif 000002
【特許請求の範囲】
【請求項１】
基礎面上に配設される複数の床支持ユニットと、該複数の床支持ユニットにより前記基礎面に対して所定の高さレベルに支持される床下地材と、該床下地材上に敷設される床仕上材とを備えてなる遮音性床構造であって、
前記床下地材と前記床仕上材との間に、比重が０．９〜１．４の石膏ボードを敷設したことを特徴とする遮音性床構造。
【請求項２】
前記各床支持ユニットは、前記基礎面上に配設される弾性台座と、該弾性台座に立設される支持脚と、該支持脚に支持されるとともに、前記床下地材を支持する支持板とを備えてなることを特徴とする請求項１記載の遮音性床構造。
【発明の詳細な説明】
【技術分野】
【０００１】
本発明は、遮音性床構造に関し、さらに詳しくは、集合住宅等の各種建物において既存の基礎面との間に空間を形成して二重床を構築する乾式置床工法による遮音性床構造に関する。
【背景技術】
【０００２】
基礎面上に弾性台座を介して立設された支持脚群によって床下地材を所定の高さレベルに支持して二重床の床下地を形成し、その上に捨張り材を介して床仕上材を敷設した床構造は、乾式二重床構造と呼ばれ、集合住宅や体育施設等に多く採用されている。
このような乾式二重床構造は、支持脚の下端に配設された弾性台座の作用により、歩行感及び運動感が良好な床面が得られるとともに、弾性台座の弾性によって床面に作用する衝撃が緩衝されるようになっている。
【０００３】
しかしながら、近年、屋内の騒音、特に床衝撃音の階下への伝播が大きな問題となっている。ここで、床衝撃音は支持脚のみを介して伝播するものではなく、床下の空間や壁を介しても伝播する。したがって、乾式二重床構造では、支持脚の下端に配設された弾性台座のみによっては充分な遮音性が得られ難くなっている。
そこで、本出願人は、床下地材と床仕上材との間に、曲げ強度３５〜５０（Ｎ／ｍｍ２）、曲げヤング係数４，０００〜５，０００（Ｎ／ｍｍ２）、及び密度０．８〜１．２（ｇ／ｃｍ３）のハードボード又は高密度繊維板を敷設した遮音性床構造を開発した（特許文献１参照）。
【０００４】
そして、特許文献１に係る遮音性床構造によれば、床衝撃音が伝播し易い木質系のフローリング等の硬質系の床仕上材を使用した場合であっても、歩行感、耐久性及び床衝撃音遮断性能に優れた乾式遮音二重床を構成することが可能となる。
【特許文献１】特許第３５８８０９７号公報
【発明の開示】
【発明が解決しようとする課題】
【０００５】
しかしながら、特許文献１に係る遮音性床構造では、床下地材と床仕上材との間にハードボード又は高密度繊維板を敷設する構成を採用している。ここで、ハードボード及び高密度繊維板は、パルプ、ケナフ等の植物繊維に、樹脂、パラフィン等の若干の薬品を添加して成形される。したがって、ハードボード又は高密度繊維板は、植物繊維が空気中の水分の吸収又は放出を行うことで、空気中の湿度に応じて伸縮することとなる。よって、特許文献１に係る遮音性床構造では、ハードボード又は高密度繊維板が伸縮することにより、床仕上材の浮き上がり等が発生する場合があるという問題がある。
本発明は上記した従来技術の問題を解決するためになされたものであり、その目的は、床衝撃音遮断特性を向上しつつ、床仕上材の浮き上がり等を防止することが可能な遮音性床構造を提供することにある。
【課題を解決するための手段】
【０００６】
本願請求項１記載の遮音性床構造は、基礎面上に配設される複数の床支持ユニットと、該複数の床支持ユニットにより前記基礎面に対して所定の高さレベルに支持される床下地材と、該床下地材上に敷設される床仕上材とを備えてなる遮音性床構造であって、
前記床下地材と前記床仕上材との間に、比重が０．９〜１．４の石膏ボードを敷設したことを特徴とする。
また、本願請求項２記載の遮音性床構造は、請求項１記載の遮音性床構造において、前記各床支持ユニットは、前記基礎面上に配設される弾性台座と、該弾性台座に立設される支持脚と、該支持脚に支持されるとともに、前記床下地材を支持する支持板とを備えてなることを特徴とする。
【発明の効果】
【０００７】
本願請求項１又は２記載の遮音性床構造によれば、床下地材と床仕上材との間に、比重が０．９〜１．４の石膏ボードを敷設する構成により、床衝撃音遮断特性を向上しつつ、床仕上材の浮き上がり等を防止することが可能となる。
【発明を実施するための最良の形態】
【０００８】
以下、本発明の実施形態に係る遮音性床構造を図面を参照して説明する。
図１は、本発明の実施形態に係る遮音性床構造の斜視図である。図２は、図１に示す遮音性床構造に備えられる床支持ユニットの側面断面図である。図３は、図２に示す床支持ユニットに配設される弾性台座の平面図である。図４は、図３に示す弾性台座の底面図である。図５は、図２に示す床支持ユニットを用いて敷設された床下地材の配置形態の一例を示す概略部分平面図である。
【０００９】
遮音性床構造１は、図１に示すように、集合住宅等の各種建物において設置され、コンクリートスラブ等の基礎面２の床面上に配設される複数の床支持ユニット３と、床支持ユニット３に支持される床下地材４と、床下地材４上に敷設される石膏ボード５と、石膏ボード５上に敷設される床仕上材６とを備えてなる。
各床支持ユニット３は、図２に示すように、基礎面２上に配設される弾性台座８と、弾性台座８に立設される支持脚９と、支持脚９に支持される支持板１０とを備えてなる。
【００１０】
弾性台座８は、ゴム等の弾性材料から略円筒状に形成されている。弾性台座８の略上半部の上下方向から見た中央部には中央穴部１１が形成されている。中央穴部１１の内周面の下方には、後述する中空支持ボルト１８の突出部２０が収容される環状溝状の凹部１２が形成されている。また、中央穴部１１の内面には、図２及び図３に示すように、中央穴部１１の底面１３から内周面の上方に向かって延びる十文字状の溝部１４が形成されている。弾性台座８の下面には、図４に示すように、リブ１７によって断面略コ字状に形成される複数（図示の例では４個）の溝部１６が、中心から外方に向かって延びるように放射状に形成されている。さらに、弾性台座８には、図２及び図４に示すように、中央穴部１１の溝部１４と弾性台座８の下面の溝部１６とを連通する１対の連通孔２３が略垂直に形成されている。なお、本実施形態では、連通孔２３は２個形成されているが、溝部１４に対応して３個もしくは４個、あるいはそれ以上設けても構わず、また使用する接着剤の流動性等によっては１個だけ設ける構成としても構わない。また、弾性台座８の下面には、４個の略半球状の突起１５が対称的に形成されている。弾性台座８は、突起１５を形成することで基礎面２との接地面積が小さくなり、受けた荷重を分散しつつ適度な弾性（沈み込み）を得ることができ、床衝撃音、特に重量床衝撃音を低減することが可能となる。ここで、各突起１５の高さは２〜４ｍｍ程度が好ましく、また全ての突起１５は同一高さとすることが好ましい。なお、弾性台座８は、基礎面２上において、所定間隔で接着等により固定されて設置される。
【００１１】
支持脚９は、弾性台座８に回動自在に立設された中空支持ボルト１８と、中空支持ボルト１８の上端部が螺合されるレベル調整用ナット１９とを備えてなる。
中空支持ボルト１８は、中央打設孔２６を有する比較的短い中空パイプから形成されている。中空支持ボルト１８の下端部には、側方に突出する環状の突出部２０が座屈成形されている。中央支持ボルト１８の外周面の上端部には、上端から所定長さだけ雄ネジ部２１が形成されている。中空支持ボルト１８の上端面には、ドライバー、電動ドライバー等の回転用工具の先端を係合させる溝状の係合部２２が形成されている。
【００１２】
レベル調整用ナット１９は、中空支持ボルト１８を螺合することが可能な中央打設孔を有する比較的短い中空パイプから形成されている。レベル調整用ナット１９の内周面の下端部には、下端から所定長さだけ中空支持ボルト１８の雄ネジ部２１に適合する雌ネジ部２４が形成されている。また、レベル調整用ナット１９の外周面の上下方向略中央部には、環状の支持部２５が突設されている。
【００１３】
そして、支持脚９は、レベル調整用ナット１９の雌ネジ部２４に中空支持ボルト１８の雄ネジ部２１上端部を螺合することによって構成される。
支持板１０は、パーティクルボード、積層合板、木質繊維板等を略方形の平板状に形成したものである。そして、支持板１０の上下方向から見た略中央部には、レベル調整用ナット１９の上部が嵌合される挿入孔２７が設けられている。また、挿入孔２７の上端部には、面取りされて上方に向けて拡開された面取り部２８が形成されている。
【００１４】
そして、弾性台座８と支持脚９とは、支持脚９の中空支持ボルト１８の下端部を弾性台座８の中央穴部１１に嵌挿することにより組み合わされる。この場合、中空支持ボルト１８の突出部２０が弾性台座８の凹部１２に係合することで、支持脚９は、弾性台座８の中央穴部１１の底面１３に回動自在に支持された状態で立設される。また、支持脚９と支持板１０とは、支持板１０の挿入孔２７に支持脚９のレベル調整用ナット１９の上端部を嵌合し、支持板１０の下面をレベル調整用ナット１９の支持部２５により支持することにより組み合わされる。この場合、支持脚９のレベル調整用ナット１９の上端部を拡開して支持板１０の挿入孔２７の面取り部２８に部分的に埋没させることで、レベル調整用ナット１９の上部に接着剤溜り２９が形成される。
【００１５】
そして、上記のようにして構成された床支持ユニット３は、中空支持ボルト１８の上端面に形成された係合部２２にドライバー等の回転用工具の先端部を嵌め込み、中空支持ボルト１８を回転することにより、レベル調整用ナット１９に支持されている支持板１０が上下方向に移動される。これにより、支持板１０により支持された床下地材４の基礎面２に対する高さレベルを調整することが可能となっている。
床下地材４としては、パーティクルボード、ハードボード、高密度繊維板、合板等が用いられる。そして、床下地材４は、床支持ユニット３の支持板１０の上面に接着剤、釘等により固定され、基礎面２に対して所定の高さレベルで支持される。
【００１６】
石膏ボード５としては、石膏により板状に形成した芯材の外面を紙材で被覆して形成されたものを用いる。ここで、石膏ボード５は、比重が０．９〜１．４となるように形成されている。ここで、石膏ボード５の比重を０．９未満に設定すると、十分な遮音性能が得られないという不都合が生じることとなる。また、石膏ボード５の比重を１．４よりも大きく設定すると、切断や留付けが困難となる。特に、石膏ボード５の比重は、１．０〜１．３に設定されることが好ましい。そして、石膏ボード５は、カッターにより所定の寸法に切断され、または定尺のまま床下地材４上に敷設された後、釘により床下地材４に留め付けられる。
床仕上材６としては、フローリング、木質系化粧板、合成樹脂製クッションシート、絨毯、カーペット、畳等を用いることが可能である。
【００１７】
次に遮音性床構造１の設置形態例を説明する。
遮音性床構造１の設置においては、まず、複数の床支持ユニット３を、基礎面２上に、床下地材４の形状に対応した所定のピッチで設置する。
そして、床下地材４を、各床支持ユニット３の支持板１０上に、各支持板１０により床下地材４の縁部を支持させた状態で設置する。この場合において、床下地材４は、各レベル調整用ナット１９の接着剤溜り２９が床下地材４の縁部から露出するように設置される。ここで、予め床下地材４の下面に床支持ユニット３を取り付けたものを用意し、これを基礎面２上に設置しても構わない。なお、各床支持ユニット３の支持板１０と床下地材４との固定は、粘着シート等を用いて行われる。
【００１８】
そして、各床支持ユニット３の支持板１０の接着剤溜り２９の上方から回転用工具を挿入し、係合部２２を介して中空支持ボルト１８を回転して、支持板１０により支持された床下地材４の高さレベルを調整する。
さらに、隣合う床下地材４も同様に、床下地材４のレベル調整ができるように所定の間隙を開けて床支持ユニット３上に固定していく。
このような作業を床下地材４ごと繰り返し、床下地材４を基礎面２上において一様に敷設するとともに、床下地材４の基礎面２に対する高さレベルを所定の高さとなるように調整する。
【００１９】
床下地材４の床面レベルの調整後、隣り合う床下地材４間の間隙部に露出する接着剤溜り２９に接着剤を注入する。この場合、レベル調整用ナット１９の上部に形成された接着剤溜り２９から注入された接着剤は、まず、レベル調整用ナット１９と中空支持ボルト１８との間の螺合部に浸透して、調整用ナット１９と中空支持ボルト１８とを接着する。また、接着剤溜り２９から注入された接着剤は、床下地材４と支持板１０との間の隙間にも浸透して、床下地材４と支持板１０とを接着する。また、接着剤溜り２９から注入された接着剤は、接着剤溜り２９から中空支持ボルト１８の中央打設孔２６を介して弾性台座８の中央穴部１１へと流れ込み、中空支持ボルト１８の下端と弾性台座８との間も接着する。さらに、接着剤溜り２９から注入された接着剤は、中央穴部１１の溝部１４から連通孔２３を介して弾性台座８の下面の溝部１６へと流れ込み、弾性台座８と基礎面２との間も接着する。したがって、遮音性床構造１では、一回の接着剤注入作業によって、レベル調整用ナット１９と中空支持ボルト１８との間の接着、床下地材４と支持板１０との間の接着、中空支持ボルト１８と弾性台座８との間の接着及び弾性台座８と基礎面２との間の接着を同時に行うことができ、接着剤注入の作業性を格段に向上することが可能となる。
【００２０】
そして、床下地材４の基礎面２上への敷設を完了後、床下地材４上に石膏ボード５を一様に敷設する。
床下地材４上への石膏ボード５の敷設は、床下地材４上に石膏ボード５を載置し、釘により床下座材４に留め付ける。この場合、石膏ボード５は、カッターにより切断を行うことが可能であるため、現場でのサイズの微調整を容易に行うことが可能となる。
そして、床下地材４上への石膏ボード５の敷設を完了後、石膏ボード５上に床仕上材６を一様に敷設して、遮音性床構造１の設置を完了する。
【００２１】
なお、遮音性床構造１では、石膏ボード５が従来の二重床構造における捨張り材の機能も果たすため、捨張り材の敷設は不要である。また、床下地材４の配置形態は、図５に示すように千鳥状に配列してもよいし、あるいは平行に配列してもよい。また、遮音性床構造１では、さらに床衝撃音遮断性能を向上させるために、必要に応じて、鋳鉄粉等の金属粉を含有するゴムアスファルトシートからなる制振遮音性シート、表面及び／又は裏面にポリエステル不織布、合成樹脂フィルム、金属箔を貼着したシート等の遮音性シート又はポリエステル系、ポリプロピレン系、パルプ系等の不織布、好ましくはポリエステル不織布、特にポリエステル中空繊維の不織布からなる吸音材を床下地材４の下の支持脚設置箇所を除くほぼ全域に配設しても構わない。あるいは床下空間を格子状に区画閉鎖するように構成しても構わない。
【００２２】
上記構成を備える、遮音性床構造１では、床下地材４と床仕上材６との間に石膏ボード５を敷設している。また、石膏ボード５は、比重が０．９〜１．４となるように形成されている。したがって、遮音性床構造１によれば、床仕上材６から床下地材４への振動の伝播を抑制することができ、床衝撃音遮断性能を向上することが可能となる。また、石膏ボード５は空気中の湿度に応じて伸縮することがないため、遮音性床構造１では、床仕上材６の浮き上がり等を防止することが可能となる。ここで、石膏ボードには、ホルムアルデヒドを吸収及び分解する機能を付加することができる。よって、遮音性床構造１では、ホルムアルデヒド吸収分解機能を付加した石膏ボード５を備える構成により、設置された室内のホルムアルデヒドの吸収及び分解を行うことが可能となる。
【００２３】
以上、本発明の実施形態について説明したが、本発明の実施形態においては、種々の変更を行うことが可能である。
例えば、本実施形態では、床支持ユニット３の支持脚９は、中央打設孔２６を有する中空支持ボルト１８とレベル調整用ナット１９とを備える構成となっている。しかしながら、中空支持ボルト１８に代えて、中央打設孔２６を有さない中実支持ボルトを用いる構成としても構わない。
【実施例】
【００２４】
次に、遮音性床構造１についての床衝撃音レベルの試験例を示して本発明の効果について具体的に説明する。
なお、以下の試験例において、床衝撃音レベルの測定方法及び評価は、ＪＩＳＡ１４１８：２０００（建築物の床衝撃音遮断性能の測定方法）の規定に準じて行った。
測定方法：
図６は、床衝撃音レベルの試験を行う実験室の概略構成図である。図７は、床衝撃音レベルの試験の試験結果を示す図である。
実験室として、図６に示すように、厚さ１５０ｍｍのコンクリートスラブ（ＲＣ床板）よりなる基礎面１００により階上の音源室１１１と階下の受音室１１２に区画された実験棟１１０を用いた。音源室１１１では、基礎面１００上に試験体となる遮音性床構造１１３を構築し、基礎面１００と遮音性床構造１１３とから測定対象床１１４を構成した。
【００２５】
床衝撃音発生器１１５としては、軽量床衝撃音発生器（タッピングマシン）及び重量床衝撃音発生器（バングマシン）の２種類を用い、３箇所打撃し、発生した床衝撃音は階下の受音室１１２内に設置されたマイクロホン１１６で集音し、受音装置１１７の指示騒音計１１８で受音し、それをオクターブ分析器１１９により、１／１オクターブバンドの各周波数帯域ごとに、その音圧レベルを記録した。その周波数帯域は、６３Ｈｚ、１２５Ｈｚ、２５０Ｈｚ、５００Ｈｚ、１，０００Ｈｚ（１ｋＨｚ）、２，０００Ｈｚ（２ｋＨｚ）、４，０００Ｈｚ（４ｋＨｚ）であり、数字が大きくなるほど高い音であることを表す。
なお、受音室マイクロホンの高さは１２００ｍｍとした。
【００２６】
床衝撃音レベル改善量：
（１）実験室における床衝撃音レベル改善量
まず、音源室１１１の基礎面１００上を直接床衝撃音発生器（軽量、重量）１１５で打撃し、床衝撃音レベルを受音室１１２内で測定した。
次に、空打をした音源室１１１の基礎面１００上に、所定の大きさの二重床１１３を施工し、上記空打の打撃位置と同じ所で床衝撃音発生器１１５にて床衝撃音を発生させ、受音室１１２にてその床衝撃音レベルを測定した。なお、床衝撃音レベルは、３箇所の打撃点においてそれぞれ３回打撃を繰り返して測定した値の総平均値とした。
上記のようにして得られた測定値から、下記式（１）によって実験室における床衝撃音レベル改善量ΔＬを算出した。
ΔＬ＝ＬＯ−Ｌｎ（ｄＢ）      ・・・（１）
ここで、ＬＯは、基礎面１００の床衝撃音レベル（ｄＢ）、Ｌｎは、二重床１１３を構築した基礎面１００の床衝撃音レベル（ｄＢ）とする。
【００２７】
（２）現場における床衝撃音レベルの推定
前記改善量は床構造自体の絶対的な性能評価であり、ＪＩＳの評価とは異なる。そこで、一般にＬ値と呼ばれている評価をするために、下記式（２）により、現場における床衝撃音レベルの推定を行う。
Ｌ＝Ｌｓ−ΔＬ（ｄＢ）      ・・・（２）
ここで、Ｌｓは、現場で得られた基礎面１００の床衝撃音レベル（ｄＢ）、ΔＬは、実験室における床衝撃音レベル改善量（ｄＢ）とする。
したがって、このＬがＪＩＳでいう現場における床衝撃音レベルとなり、ＪＩＳ  Ａ  １４１９の図２にこの値を転記し、ＪＩＳの規定によるＬ値を推定することになる。
【００２８】
試験体：
試験体Ａは、比較例に係る遮音性床構造であり、床支持ユニットとしてＹＰ−９０型支持脚（支持脚間隔４５８ｍｍ×６１５ｍｍ）、床下地材としてパーティクルボード（１８２０ｍｍ×６００ｍｍ×２０ｍｍ）、床仕上材としてカラーフロアー（１８１８ｍｍ×３０３ｍｍ×１２ｍｍ）を適用し、床下地材と床仕上材との間に、高密度繊維板（ＭＤＦ）（１８２０ｍｍ×９１０ｍｍ×７ｍｍ）を敷設したものである。
試験体Ｂは本発明例に係る遮音性床構造であり、試験体Ａの構成において、高密度繊維板に代えて石膏ボード（１８２０ｍｍ×９０９ｍｍ×９．５ｍｍ）を敷設したものである。
試験体Ｃは本発明例に係る遮音性床構造であり、試験体Ａの構成において、高密度繊維板に代えて石膏ボード（１８２０ｍｍ×６０６ｍｍ×１２．５ｍｍ）を敷設したものである。
【００２９】
試験結果：
図７に示される結果から明らかなように、床下地材と床仕上材との間に石膏ボードを敷設して構築された二重床は、床下地材と床仕上材との間に高密度繊維板を敷設して構築された二重床と同等以上の床衝撃音遮断性能を有している。
【図面の簡単な説明】
【００３０】
【図１】本発明の実施形態に係る遮音性床構造の斜視図である。
【図２】図１に示す遮音性床構造に備えられる床支持ユニットの側面断面図である。
【図３】図２に示す床支持ユニットに配設される弾性台座の平面図である。
【図４】図３に示す弾性台座の底面図である。
【図５】図２に示す床支持ユニットを用いて敷設された床下地材の配置形態の一例を示す概略部分平面図である。
【図６】床衝撃音レベルの試験を行う実験室の概略構成図である。
【図７】床衝撃音レベルの試験の試験結果を示す図である。
【符号の説明】
【００３１】
１  遮音性床構造
２  基礎面
３  床支持ユニット
４  床下地材
５  石膏ボード
６  床仕上材
８  弾性台座
９  支持脚
１０  支持板
１１  中央穴部
１２  凹部
１３  底面
１４  溝部
１５  突起
１６  溝部
１７  リブ
１８  中空支持ボルト
１９  レベル調整用ナット
２０  突出部
２１  雄ネジ部
２２  係合部
２３  連通孔
２４  雌ネジ部
２５  支持部
２６  中央打設孔
２７  挿入孔
２８  面取り部
【図１】
2008266942.tif 000003
【図２】
2008266942.tif 000004
【図３】
2008266942.tif 000005
【図４】
2008266942.tif 000006
【図５】
2008266942.tif 000007
【図６】
2008266942.tif 000008
【図７】
2008266942.tif 000009